(57)【特許請求の範囲】
【請求項１】
ライン状をなす主電線から所定間隔毎に分岐される分岐電線に複数の発光体の各ソケットが接続され、イルミネーションの補強治具として用いられる針金で構成された線材に、前記発光体のソケットを着脱自在に取り付ける発光体支持用クリップであって、前記クリップは、樹脂による一体成形で構成されるとともに、前記発光体のソケットを嵌合保持する発光体保持孔と、径の大きい線材を嵌合保持する線材保持孔と、径の小さな線材を嵌合保持する線材保持孔と、が形成されており、前記各保持孔が同軸方向を向いて貫通され、該各保持孔は、それぞれ対向される舌片を有するとともに、該対向される舌片が前記発光体のソケットまたは前記線材により押し広げられることで、弾性的に広がる嵌合用の絞り開口を有し、前記各線材保持孔と前記発光体保持孔とは、前記嵌合用の絞り開口の開口方向が互いに異なっていることを特徴とする発光体支持用クリップ。
【発明の詳細な説明】
【０００１】
【発明の属する技術分野】
本発明は、複数の発光体が電線上に多数配置され、樹木や家屋等に設置することによって、所定のライン状のイルミネーションを構成するための電飾に係り、特に、ライン状のイルミネーションを所定の形状に保持するために用いられる発光体支持用クリップに関する。
【０００２】
【従来の技術】
従来、クリスマスシーズンになると樹木や家屋などの外装、室内などにＬＥＤや豆電球の電飾が施され、イルミネーション効果が高められる。これら電飾は、単数で利用されることもあるが、一般的には、複数の発光体（ＬＥＤや豆電球）が所定間隔毎に電線上に配設され、ライン状のイルミネーション装置として用いられることが多い。
【０００３】
このライン状のイルミネーションは、各発光体に電気を供給するための給電線上に発光体が繋がっており、自由にその形状を変えることができるものである。
【０００４】
【発明が解決しようとする課題】
しかし、このようなライン状のイルミネーションは、被装飾体が安定してその形状を維持しているものであれば、その被装飾体に電線を固定するのみで種種の形状を形成できるが、ライン状のイルミネーションを用いて複雑な形状をデザインしたいと言う要求があり、形状の保持を被装飾体に依存できない場合が多い。
【０００５】
このため、可撓性の針金を電線の補強治具として用い、この針金の形状に合わせてライン状のイルミネーションの形状を変化させ安定的に保持する手法が用いられているが、この針金に電線を取り付ける際、現状では針金の所定間隔毎にテープを用いて電線を固定する手段が用いられている。
【０００６】
ところが電線をテープで固定する場合、発光体の方向が一定せず、また針金から電線を外す際にテープの粘着糊が電線に残るばかりか、テープを剥がす作業が繁雑となる。
【０００７】
本発明は、上記問題点を解決するためになされたもので、ライン状のイルミネーションを容易に針金に取付、取り外しでき、かつ発光体を一定方向に確実に揃えることができ、見栄えの良いライン状のイルミネーションを構築できる発光体支持用クリップを提供することを目的としている。
【０００８】
【課題を解決するための手段】
上記目的を達成するために、本発明の発光体支持用クリップは、ライン状をなす主電線から所定間隔毎に分岐される分岐電線に複数の発光体の各ソケットが接続され、イルミネーションの補強治具として用いられる針金で構成された線材に、前記発光体のソケットを着脱自在に取り付ける発光体支持用クリップであって、前記クリップは、樹脂による一体成形で構成されるとともに、前記発光体のソケットを嵌合保持する発光体保持孔と、径の大きい線材を嵌合保持する線材保持孔と、径の小さな線材を嵌合保持する線材保持孔と、が形成されており、前記各保持孔が同軸方向を向いて貫通され、該各保持孔は、それぞれ対向される舌片を有するとともに、該対向される舌片が前記発光体のソケットまたは前記線材により押し広げられることで、弾性的に広がる嵌合用の絞り開口を有し、前記各線材保持孔と前記発光体保持孔とは、前記嵌合用の絞り開口の開口方向が互いに異なっていることを特徴としている。
上記構成の本発明によると、線材および発光体のソケットが、それぞれ弾性的に開放可能な絞り開口を介して、線材保持孔および発光体保持孔に嵌合されるため、ライン状のイルミネーションを容易に針金等の線材に取付、取り外しできるばかりか、線材からソケットを外す際にテープの粘着糊が線材やソケットに残ることがない。またソケットを線材周りに回転でき多様な変化を実現できる。また、発光体が線材の方向と一致することとなり、ライン状のイルミネーションの見栄えが向上する。また、前記線材保持孔と前記発光体保持孔に、線材と発光体を容易に装着または取り外すことができる。また、クリップから線材を取り外す場合に発光体が外れることがなく、また発光体を取り外す場合に線材が外れることを効果的に防止できる。また、径の大きい線材と、径の小さな線材に対して何れにも対応できる。また、強度が高まるとともに、成形も容易となる。
【００１４】
【発明の実施の形態】
本発明の発光体支持用クリップを実施例に基づいて説明すると、図１に示された１は、発光体支持用クリップ（クリップという）であり、複数の発光体が所定間隔毎に電線上に配設され、ライン状のイルミネーションに用いられる発光体を支持するためのクリップであって、前記クリップ１は、図４に示されるライン状のイルミネーションのラインの形状を規定するための線材としての針金１２を保持する線材保持孔８と、前記発光体１１のソケット１７を保持する発光体保持孔６とが、それぞれ弾性的に開放可能な絞り開口９，７を介して外側に開放されて配置されている。なお、本実施例で用いる電線は、ライン状をなす主電線１８と、この主電線１８から所定間隔毎に分岐される分岐電線２０と、から構成されており、分岐電線２０の先端部に発光体１１のソケット１７の後端部が接続されている。
【００１５】
前記発光体保持孔６は、それぞれ対向する舌片、すなわち前記発光体保持孔６は、ほぼ同形の第１舌片２と、第２舌片３とが対抗するように延出して構成され、また前記線材保持孔８は、第１舌片２の付け根部分と、第３舌片４とが対抗するように延出して構成され、更に各舌片２，３，４の内側端部１０、１０’にはアールが形成されている。また前記線材保持孔８の反対方向には、線材保持孔８よりも小径の線材保持孔１３が設けられ、この線材保持孔１３は、第２舌片３の付け根部分と、第４舌片５とが対抗するように延出して構成され、この第４舌片５の内側端部にもアールが形成されている。
【００１６】
上記クリップ１において、前記線材保持孔１３と前記発光体保持孔６との孔が同一方向を向いて開口されており、この開口は、各舌片２，３，４の内側端部１０、１０’の位置でそれぞれ絞り開口７，９になるように構成されている。また線材保持孔１３についても絞り開口１４が形成されている。
【００１７】
このように前記線材保持孔１３と前記発光体保持孔６との孔が同一方向を向いて開口されているため、クリップ１で保持された発光体１１が線材１２の方向と一致することとなり、ライン状のイルミネーションの見栄えが向上する。なお前記クリップ１は、樹脂による一体成形で構成されているため、クリップ１の強度が高まるとともに、成形も容易になっている。
【００１８】
上記構成によるクリップ１を用いてのライン状のイルミネーションを組み立てる場合、図３に示すように、発光体１１の発光部１６を保持しているソケット１７の円柱部１９を、弾性的に開放可能な絞り開口７を介して発光体保持孔６に嵌合する。この際ソケット１７に繋がる主電線１８はクリップ１の外側を通すようにする。この嵌合は図２に詳しく説明されており、前記同様にして線材としての針金１２も、弾性的に開放可能な絞り開口９を介して線材保持孔８に嵌合することができるようになっている。
【００１９】
このようにして順次クリップ１を用いて発光体１１と線材１２とを固定することにより、ライン状のイルミネーションを容易に針金等の線材１２に取付け出来、またこれを外したい場合は容易に取り外すことができることになる。このようにそれぞれが嵌合固定手段で固定されることにより、線材１２からソケット１７を外す際にテープの粘着糊が線材１２やソケット１７に残ることがない。またソケット１７を線材１２周りに回転でき、多様なイルミネーションの変化も実現できる。
【００２０】
また、上記クリップ１においては、前記線材保持孔８の絞り開口９と、前記発光体保持孔６の絞り開口７とが、異なる方向に開口されている。より詳しくは、線材保持孔８の絞り開口９に対して線材１２が進入する方向と、発光体保持孔６の絞り開口７に対して線材１２が進入する方向とが、平行もしくは同一線上にならないようになっている。このようにすることによって、例えばクリップ１から線材１２を取り外す場合に、誤って発光体１１が外れることがなく、また発光体１１を取り外す場合に、線材１２が外れることを効果的に防止できる。
【００２１】
更に本実施例で示すクリップには、前記線材保持孔８およびその絞り開口９の他に、径の異なる線材保持孔１３およびその絞り開口１４が設けられているため、径の大きい線材１２と、径の小さな線材１５に対して何れにも対応できるようになっている。また線材保持孔およびその絞り開口を３個以上一体に設けることもできる。
【００２２】
このようにして線材１２に対して固定された発光体１１は、図４に示されるようにこの線材１２を自由に変形することにより、クリップがその形状に追随し、所望する形のライン状のイルミネーションを容易に形成できることになる。
【００２３】
【発明の効果】
本発明によれば、次のような効果が得られる。
【００２４】
請求項１に記載の発明によれば、線材および発光体のソケットが、それぞれ弾性的に開放可能な絞り開口を介して、線材保持孔および発光体保持孔に嵌合されるため、ライン状のイルミネーションを容易に針金等の線材に取付、取り外しできるばかりか、線材からソケットを外す際にテープの粘着糊が線材やソケットに残ることがない。またソケットを線材周りに回転でき多様な変化を実現できる。また、発光体が線材の方向と一致することとなり、ライン状のイルミネーションの見栄えが向上する。また、前記線材保持孔と前記発光体保持孔に、線材と発光体を容易に装着または取り外すことができる。また、クリップから線材を取り外す場合に発光体が外れることがなく、また発光体を取り外す場合に線材が外れることを効果的に防止できる。また、径の大きい線材と、径の小さな線材に対して何れにも対応できる。また、強度が高まるとともに、成形も容易となる。
【図面の簡単な説明】
【図１】本発明のクリップの斜視図である。
【図２】クリップと発光体および線材の接続工程に於ける断面図である。
【図３】図２に於けるクリップと発光体の接続工程を示す斜視図である。
【図４】接続完了時のライン状イルミネーションの斜視図である。
【符号の説明】
１              クリップ（発光体支持用クリップ）
２              第１舌弁
３              第２舌弁
４              第３舌弁
５              第４舌弁軸
６              発光体保持孔
７              絞り開口
８              線材保持孔
９              絞り開口
１０、１０’    内側端部
１１            発光体
１２            針金（線材）
１３            線材保持孔
１４            絞り開口
１５            線材
１６            発光部
１７            ソケット
１８            電線
１９            円柱部
【図１】
0004512836.tif 000002
【図２】
0004512836.tif 000003
【図３】
0004512836.tif 000004
【図４】
0004512836.tif 000005